(57)【要約】【課題】傾斜地に簡単且つ安全に積み上げることができるブロック及びブロックの積み上げ方法を提供する。【解決手段】傾斜地に沿って複数段に積み上げることによって擁壁を形成するためのブロック１であって、上方に突出する前壁２と、前壁２の後方に前壁と略平行に上方に突出する後壁３と、前壁２と後壁３とを前後に連結する底板５と、アンカー１０（又は固化剤）挿入用の貫通孔４と、を具える。下段ブロック１ａの後壁３の上面３ａと上段ブロック１ｂの底板５の底面５ａとを重ね合わせるようにして、ブロックを積み上げていく。また、底板５の底面５ａに下方に突出する凸部６を形成して、この凸部を下段ブロックの前壁に係合させて、形成する擁壁の強化を図るようにしてもよい。前壁２と底板５と後壁３との間には植生、土砂等を収容する収容空間Ｓが形成されている。前壁２の前面側の表面に擬木模様、カラー塗布等の加工処理を施してもよい。【選択図】図２
2009102901.tif 000002
【特許請求の範囲】
【請求項１】
上方に突出する前壁と、前記前壁の後方に前記前壁から所定のスペースをあけて前記前壁と略平行に上方に突出する後壁と、前記前壁と前記後壁とを前後に連結する基底部と、前記基底部に当該基底部の上側空間と下側空間とを連通する少なくとも１本の貫通孔と、
を有することを特徴とするブロック。
【請求項２】
前記基底部の底面に下方に突出する凸部を更に具えることを特徴とする請求項１に記載のブロック。
【請求項３】
前記後壁の前面から前記基底部の上面に亘って傾斜する少なくとも１の前方強化部を更に具えることを特徴とする請求項１又は２に記載のブロック。
【請求項４】
前記後壁の後面から前記基底部の上面に亘って傾斜する少なくとも１の後方強化部を更に具えることを特徴とする請求項１から３のいずれか１項に記載のブロック。
【請求項５】
前記基底部の上面が前後方向に対して直交する方向に勾配を成していることを特徴とする請求項１から４のいずれか１項に記載のブロック。
【請求項６】
前記前壁の前面側表面、又は前記前壁及び前記後壁の前面側表面に加工処理が施されていることを特徴とする請求項１から５のいずれか１項に記載のブロック。
【請求項７】
前記貫通孔に固定手段を設けることにより傾斜地に固定できるように構成するとともに、
下段側のブロックの後壁の上面を上段側のブロックの基底部の底面に重ね合わせるようにして、前記下段側のブロックの上に前記上段側のブロックを積み上げるように構成することにより傾斜地に沿って複数段に形成されることを特徴とする請求項１から６のいずれか１項に記載のブロックを積み上げた擁壁。
【請求項８】
前記下段側のブロックの上に前記上段側のブロックが千鳥式に積み上げられていることを特徴とする請求項７に記載の擁壁。
【請求項９】
前記前壁と前記基底部と前記後壁とで区画された収容空間内に植栽可能であることを特徴とする請求項７又は８に記載の擁壁。
【請求項１０】
最上段の前記ブロックの後壁の上に落石防止用フェンスを設けるよう構成されていることを特徴とする請求項７から９のいずれか１項に記載の擁壁。
【請求項１１】
下段側のブロックを傾斜地に設置するステップと、
前記下段側のブロックの前壁及び／又は後壁を利用して、前記下段側のブロックの前壁と後壁とを前後に連結する基底部に設けられた少なくとも１本の貫通孔に固定手段を設けることにより前記下段側のブロックを傾斜地に固定するステップと、
前記下段側のブロックの前壁に重ねて上段側のブロックを積み上げるステップと、
前記上段側のブロックの前壁及び／又は後壁を利用して、前記上段側のブロックの前壁と後壁とを前後に連結する基底部に設けられた少なくとも１本の貫通孔に固定手段を設けることにより前記上段側のブロックを傾斜地に固定するステップと、
を具えることを特徴とするブロックの積み上げ方法。
【発明の詳細な説明】
【技術分野】
【０００１】
本発明は、急傾斜地、又は風化、亀裂、断層、軟岩等による不安定な傾斜地等に設置することにより、当該傾斜地に強固な法面を有する擁壁を形成できるブロック、ブロック積み上げた擁壁及びブロックの積み上げ方法に関する。
【背景技術】
【０００２】
現在、傾斜地における法面崩壊等の対策として、ボックスブロック、コンクリート擁壁、積ブロック、アースアンカー、ロックアンカー、固化剤の注入等を用いた工法が、状況に応じてなされている（例えば、特許文献１及び特許文献２参照）。
【０００３】
【特許文献１】特開２００２−１９４７２７号公報
【特許文献２】特開平５−１２５７３９号公報
【発明の開示】
【発明が解決しようとする課題】
【０００４】
しかしながら、従来のブロックをアースアンカーやロックアンカーで固定する工法では、ブロックを積み上げる際に作業者の足場を確保することが困難で施工時に危険を伴う可能性があり、更に、施工に際して、土留、落石防止柵の設置等の準備工程が必要であった。また、従来用いられてきたブロックは、施工を行う周辺の環境に配慮したものではなかった。その上、近年はブロックの設計強度を超える強さの降雨がしばしばあり、ブロックを積み上げて降雨対策を施していても、土砂崩壊、土石の崩落により、ライフラインである道路が寸断される可能性がある。
【０００５】
上記のような課題に鑑みて、本発明は、簡単且つ安全に施工して傾斜地の崩落、落石等を防止することができるブロック、ブロック積み上げた擁壁及びブロックの積み上げ方法を提供することを目的とする。
【課題を解決するための手段】
【０００６】
前記課題を解決するために本発明に係るブロックは、上方に突出する前壁と、前壁の後方に前壁から所定のスペースをあけて前壁と略平行に上方に突出する後壁と、前壁と後壁とを前後に連結する基底部（例えば、実施形態における底板５）と、基底部に当該基底部の上側空間と下側空間とを連通する少なくとも１本の貫通孔と、を有する。
【０００７】
また、上記構成のブロックにおいて、基底部の底面に下方に突出する凸部を更に具えるのが好ましい。
【０００８】
また、上記構成のブロックにおいて、後壁の前面から基底部の上面に亘って傾斜する少なくとも１の前方強化部（例えば、実施形態におけるアンカー定着部４）を更に具えるのが好ましい。
【０００９】
更に、上記構成のブロックにおいて、後壁の後面から基底部の上面に亘って傾斜する少なくとも１の後方強化部（例えば、実施形態におけるバットレス９）を更に具えるのが好ましい。
【００１０】
また、上記構成のブロックにおいて、基底部の上面が前後方向に対して直交する方向に勾配を成しているのが好ましい。
【００１１】
また、上記構成のブロックにおいて、前壁の前面側表面、又は前壁及び後壁の前面側表面に加工処理が施されていてもよい。
【００１２】
また、前記課題を解決するために本発明に係るブロックを積み上げた擁壁は、貫通孔に固定手段（例えば、固化剤、アースアンカー、ロックアンカー等）を設けることにより傾斜地に固定できるように構成するとともに、下段側のブロック（例えば、実施形態における下段ブロック１ａ）の後壁の上面を上段側のブロック（例えば、実施形態における上段ブロック１ｂ）の基底部の底面に重ね合わせるようにして、下段側のブロックの上に上段側のブロックを積み上げるように構成することにより傾斜地に沿って複数段に形成される。
【００１３】
また、上記構成の擁壁において、下段側のブロックの上に上段側のブロックが千鳥式に積み上げられているのが好ましい。
【００１４】
また、上記構成の擁壁において、前壁と基底部と後壁とで区画された収容空間内に植栽可能であるのが好ましい。
【００１５】
また、上記構成の擁壁において、最上段のブロック（例えば、実施形態における頂部ブロック１ｃ）の後壁の上に落石防止用フェンスを設けるよう構成されているのが好ましい。
【００１６】
また、前記課題を解決するために本発明に係るブロックの積み上げ方法は、下段側のブロックを傾斜地に設置するステップと、下段側のブロックの前壁及び／又は後壁を利用して、下段側のブロックの前壁と後壁とを前後に連結する基底部に設けられた少なくとも１本の貫通孔に固定手段を設けることにより下段側のブロックを傾斜地に固定するステップと、下段側のブロックの前壁に重ねて上段側のブロックを積み上げるステップと、上段側のブロックの前壁及び／又は後壁を利用して、上段側のブロックの前壁と後壁とを前後に連結する基底部に設けられた少なくとも１本の貫通孔に固定手段を設けることにより上段側のブロックを傾斜地に固定するステップと、を具える。
【発明の効果】
【００１７】
本発明のブロック、ブロックを積み上げた擁壁及びブロックの積み上げ方法によれば、ブロックを積み上げながら固化剤を注入することができ、また、アースアンカー、ロックアンカーを打ち込む際に、下段に積んだブロックの前後壁を足場として使用することができるため、ブロック設置、削孔、アンカー設置、固化剤注入等の作業を簡単且つ安全に行うことができる。
【００１８】
また、下段側のブロックを設置して貫通孔へアースアンカー、ロックアンカー等を挿入、又は固化剤を注入して下段側のブロックを固定した後に、上段側のブロックを設置するため、下段側のブロックの重量により安定した状態で上段側のブロックを設置することが可能である。下段側のブロックが安定していることで、土留、落石防止柵の設置等の準備工程が不要であり、さらには、上段側のブロックへの固化剤の注入、アースアンカー、ロックアンカー等の挿入を、高所でも簡単且つ安全に行うことができる。
【００１９】
また、ブロックに形成された貫通孔を利用して、従来の固化剤を注入する工法、アースアンカー工法、ロックアンカー工法を本発明のブロックの積み上げに取り入れることが可能で、複数のブロックが一体となった強固な急傾斜地対応のブロックを提供することができる。更に、貫通孔に挿入されるアンカーが比較的短い場合、アンカーを多く打ったり、径の細いアンカーを挿入した貫通孔に固化剤の注入を行うことができる。
【００２０】
本発明のブロックは、基底部と前壁と後壁との間に所定のスペースが形成されているため、周囲の環境に合わせて、このスペースの中に、生芝、小径木等を植栽することが可能である。
【００２１】
本発明のブロックは、複数段に積み上げて擁壁を形成するため、降雨時に直下に流下する雨水を本ブロックで補水する。この場合、基底部の上面に、ブロックの前後方向に直交する勾配を成すことにより雨水を勾配に沿って緩やかに流下させることができ、集水処理が簡単になる。
【００２２】
本発明のブロックを工場で大量生産することにより、ブロックを安価に提供できる。また、工場生産だけでなく、型枠を用いれば既に危険箇所になっている場所においてブロックを形成することも可能であり、全国の傾斜地に使用できる。
【発明を実施するための最良の形態】
【００２３】
以下、本発明に係るブロック、ブロック積み上げた擁壁及びブロックの積み上げ方法の好ましい実施形態について図１乃至図４を参照しながら説明する。
【００２４】
図１は、本発明に係る複数のブロックを、固化剤注入工法又はアースアンカー、ロックアンカー等を施工して傾斜地に沿って積み上げた側断面図を示し、図２に、積み上げたブロックの側断面の詳細を、上下２つのブロックを例にとって示す。図１及び図２において、紙面垂直方向を前後方向に直交する方向（道路縦断方向）とする。本実施例では、法面が４５°に傾斜した（いわゆる１割勾配）に本発明に係るブロックを積み上げた場合を示すが、これに限らず他の傾斜角度を成す法面にもブロックを積み上げることが可能である。
【００２５】
本発明に係るブロック１は、傾斜地に沿って複数段に積み上げることによって擁壁を形成するためのブロックである。このブロック１は、ブロック１の最前部において上方向に突出する前壁２と、前壁２の後方に前壁２から所定のスペースをあけて前壁２と略平行に上方向に突出する後壁３と、前壁２と後壁３とを前後（図２の紙面左右方向）に連結する底板５（基底部）とを有する。後壁３の底板５に対する高さは、前壁２のそれよりも高くなっている。
【００２６】
前壁２は、やや先細状に上方に突出しており、本例では、その頂部の前後幅が１００〜３００ｍｍ、その底部の前後幅が１５０〜５００ｍｍであるが、必ずしもこのような寸法に限定されるわけではない。後述するように（図３参照）、前壁２の前面は、擬木風、自然石風等、周囲の環境に合致するような加工処理が施されている。
【００２７】
後壁３は、ブロックの後部にやや先細状に上方に突出しており、固化剤や、アンカー等による圧縮、緊張に耐え得るよう設計されている。また、後壁３の前面と底板５の上面に亘って傾斜面を形成して左右２箇所（図３参照）にアンカー定着部４が設けられている。本例では左右２箇所のアンカー定着部４を設けたが、これに限らず、少なくとも１箇所以上のアンカー定着部４があればよい。各アンカー定着部４のほぼ中央部には、ブロック１の底板５の底面まで貫通する３５〜１００ｍｍ径の貫通孔８が形成されているが、貫通孔８は必ずしもこのような寸法に限定されるわけではない。この貫通孔８にアンカー１０（図１参照）を挿入したり、注入工法により固化剤を注入することによって、積み上げたブロック１を傾斜地に固定できる。本例では各アンカー定着部４に１本の貫通孔８が形成されてブロック１に計２本の貫通孔８を設けているが、ブロック１を傾斜地にしっかりと固定できればよいため、これに限らず、少なくとも１本以上の貫通孔８を形成すればよい。また、後壁３の後面から底板５の上面に亘って斜め下方にこれらと一体化したバットレス９を設けており、ブロック１の強度を上げている。
【００２８】
底板５は、本例では、その厚さが１５０〜６００ｍｍであるが、必ずしもこのような寸法に限定されるわけではない。底板５の底面には、下方に突出する凸部６が形成されていて、上下段のブロックを積み重ねた際にこの凸部６が下段のブロックの前壁２上端に係合して、積み上げたブロック１の前方への摺動を強力に防止する。また、底板５の上面が、ブロック１の前後方向に対して直交する方向（道路縦断方向）において勾配を成しているため、強雨等により法面を流下する雨水等が底板５の上面を前後方向に直交する方向に緩やかに流れて集水、配水されることにより、雨水等が法面に沿って流下するのを抑え、法面崩壊を防止することが可能である。
【００２９】
また、図２に示すように、ブロック１の前壁２と底板５の上面と後壁４とに囲まれた空間Ｓには、植栽、土砂、保水材、防砂シート、砂利、小径木、配水管等の施工をすることが可能である。
【００３０】
図３は、積み上げた複数（４つ）のブロック１を正面からみた図である。図３に示すように、複数のブロック１が千鳥式に積み上げられている。このように積み上げることで、ブロック同士の相互の馴染みが良くなり、積み上げたブロック全体の強度が上がって耐震性を上げることができる。また、上述のように、ブロック１の前壁２の前面には、擬木風、自然石風等の加工処理が施されており、周囲の環境に合わせている。この加工処理は、前壁２の前面のみならず、前壁２及び後壁３の双方に施してもよい。
【００３１】
図４は、最上段のブロックである頂部ブロック１ｃとその下段ブロック１の側断面を示す図である。図４に示すように、頂部ブロック１ｃの後壁３は、落石防止用フェンス７の基礎を兼ね備えている。一般に、法面に沿ってブロックを複数段に積み上げることによって擁壁を形成する場合には、法面を全面に亘ってブロック１で覆うような設計はなされず、法面の上部には吹付その他の処理がなされる。本実施形態では、頂部ブロック１ｃの上に落石防止用フェンス７を設けることにより、小石等が落下することを防止できるようにしている。本実施例では、頂部ブロック１ｃの後壁３は、５００ｍｍ程度の前後幅を有する（１５０〜２００ｍｍの幅（Ｈ寸法）を有するＨ型鋼を落石防止用フェンス７として設置することを想定している）。なお、頂部ブロック１ｃの後壁３の前後幅の大きさは、必ずしもこのような寸法に限定されるわけではない。
【００３２】
次に、本発明に係るブロックを傾斜地に沿って複数段に積み上げる方法を図２を参照して説明する。図２においては、下段ブロック１ａ及び上段ブロック１ｂの上下２段のブロックを示している。まず、下段ブロック１ａを擁壁を形成しようとする傾斜地の最下端に設置する。そして、ブロック１ａの前壁２及び／又は後壁３を足場として利用して、ブロック１ａの貫通孔８に固化剤を注入するか、アースアンカー、ロックアンカー等を挿入することで、下段ブロック１ａを傾斜地に固定する。次に、下段ブロック１ａの前壁２を足場として利用して、下段ブロック１ａの後壁３の上面３ａと上段ブロック１ｂの底板５の底面５ａとを重ね合わせるようにして、下段ブロック１ａの上に上段ブロック１ｂを積み上げる。そして、上段ブロック１ｂの貫通孔８に固化剤を注入するか、アースアンカー、ロックアンカー等を挿入することで、上段ブロック１ｂを傾斜地に固定する。本例では、２段の構造を示しているが、この工程を繰り返すことにより、ブロックを多段に積んで強固な法面を提供することができる。このように、本発明の積み上げ方法によれば、上段側のブロックの設置、固化剤の注入、アースアンカー、ロックアンカーの挿入を行う際に、ブロックの前後壁を簡単な足場として使用できるため、各ブロックの固定及び積み上げを完全且つ容易に行うことができる。
【図面の簡単な説明】
【００３３】
【図１】図１は、本発明に係る複数段のブロックを固化剤の注入、又はアースアンカーもしくはロックアンカーの挿入により固定して積み上げた側面図である。
【図２】図２は、本発明に係る積み上げられたブロックの側面の詳細を、上下２段のブロックを例に示す図である。
【図３】図３は、本発明に係る積み上げられたブロックの正面図である。
【図４】図４は、本発明に係る最上段の頂部ブロック及びその下段ブロックの側断面図である。
【符号の説明】
【００３４】
１    ブロック
１ａ  下段ブロック（下段側のブロック）
１ｂ  上段ブロック（下段側のブロック）
１ｃ  頂部ブロック（最上段のブロック）
２    前壁
３    後壁
３ａ  下段ブロックの後壁の上面
４    アンカー定着部（前方強化部）
５    底板（基底部）
５ａ  上段ブロックの底板の底面
６    凸部
７    落石防止用フェンス
８    貫通孔
９    バットレス（後方強化部）
１０  アンカー
Ｓ    収容空間
【図１】
2009102901.tif 000003
【図２】
2009102901.tif 000004
【図３】
2009102901.tif 000005
【図４】
2009102901.tif 000006